(57)【要約】【課題】建造物のカーテンウォールの排水性能を向上して雨水等の流下による汚れを防ぎ、外観の見栄えを良好にすること。【解決手段】建造物のカーテンウォールにおいて、無目２の室外側の端面２０を覆うように、取付具５を介して扁平の中空状のカバー部材４を取付け、カバー部材４と端面２０とでパネル部材３の外周部を挟持するように構成する。カバー部材４の上縁には全長にわたって、上方のパネル部材３から流下する雨水等を受ける断面凹状の溝部４４を形成し、雨水等をカバー部材４の左右両側の溝部４４の端末より方立１の側縁に沿って排水する。カバー部材４と無目２との間には、取付具５に沿って、パネル部材３の室内面に結露流下した結露水を室外側へ流出せしめる流通路５０を設け、カバー部材４には、室内側の壁面に流通路５０と連通して結露水をカバー部材４内へ流入せしめる開口部４８と、下面に内部の結露水を排出する排水口４９を設けた。【選択図】        図１
2008115662.tif 000002
【特許請求の範囲】
【請求項１】
上下方向の方立と、水平方向の無目とを交差させて、これら方立および無目で囲まれた部分にガラス板等のパネル部材を組込んでなる建造物のカーテンウォールであって、
上記無目の室外側の端面に、該端面に突設した取付具を介して取付けられて上記無目を覆うカバー部材を設置し、該カバー部材と上記端面とで上記パネル部材の外周部を挟持するように構成し、
上記カバー部材はこれを偏平な中空状に形成するとともに、その上縁に全長にわたって、上方の上記パネル部材の室外面から流下する雨水等を受ける断面凹状の溝部を形成し、上記雨水等をカバー部材の左右両側の上記溝部の端末より上記方立の側縁に沿って流下せしめるようになし、
上記カバー部材と上記無目との間には、上記取付具の上部に沿って、上記パネル部材の室内面に結露流下した結露水を室外側へ流出せしめる流通路を設け、
上記カバー部材の室内側の壁面には上記流通路と連通し、結露水を上記カバー部材内へ流入せしめる開口部を形成するとともに、上記カバー部材の下面には上記カバー部材内へ流入した結露水を上記カバー部材外へ排出する排水口を形成したことを特徴とする建造物のカーテンウォール構造。
【請求項２】
請求項１に記載のカーテンウォールにおいて、
上記無目の端面の上縁には、上記パネル部材室内側の下縁に沿って上記結露水を受ける室内溝部を延設し、該室内溝部には上記結露水の流出口を設け、
上記無目の端面と上記カバー部材との間には、基端を上記室内溝部の下方位置で上記端面に固定して上記取付具の上部に沿って室外側へ張り出す棚状の張出部材を設け、該張出部材に間隔をおいて設けた複数の支持部材により上記パネル部材の下縁を支持せしめ、
上記室内溝部の流出口から流出する上記結露水を上記張出部材で受け、上記支持部材間の隙間を通して結露水を室外側へ流出せしめる上記流通路を形成した建造物のカーテンウォール構造。
【請求項３】
請求項１または請求項２に記載のカーテンウォールにおいて、
上記カバー部材の開口部と排水口とを、カバー部材の長手方向の互い違いの位置に形成した建造物のカーテンウォール構造。
【請求項４】
請求項１ないし請求項３のいずれかに記載のカーテンウォールにおいて、
上記方立の室外側の端面に、該端面に突設した取付具を介して取付けられて上記方立を覆うカバー部材を設置し、該カバー部材と上記端面とで上記パネル部材の外周部を挟持するように構成し、
上記カバー部材はこれを偏平な中空状に形成するとともに、その左右両側縁の全長にわたって断面凹状の側溝部を形成し、これら側溝部と上記無目を覆う上記カバー部材の溝部の端末とを対峙連通せしめて、上記溝部からの雨水等を上記側溝部に流下せしめるようになした建造物のカーテンウォール構造。
【発明の詳細な説明】
【技術分野】
【０００１】
本発明は建造物の外壁面を形成するカーテンウォール、特に排水性能の良好なカーテンウォール構造に関するものである。
【背景技術】
【０００２】
建造物の外壁面を形成するカーテンウォールは、図５に示すように、上下方向に延びる縦桟としての方立１と、水平方向に延びる横桟としての無目２とを交差させて、これらで囲まれた枠内にガラス板や化粧板等のパネル部材３を組込んだ構造とされている。
【０００３】
図６は無目２等の枠部材として木製のものを用いたカーテンウォールの代表例を示すもので、無目２の室外側の端面には、これに立設した複数のネジ部材７０を介して金属製の取付具８０が設けられ、該取付具８０の先端に無目２の端面を覆う金属製のカバー部材４を取付け、カバー部材４と無目２との間で２重のガラス板３ａ，３ｂからなるパネル部材３の外周部をシール材３３およびバッアップ材３２を介して挟み込み固定する構造としてある。図中、３４はパネル部材３の下縁を支える硬質ゴムの支持部材である。
【０００４】
上記カーテンウォールでは、無目２の端面に設けたネジ部材７０に対応して、取付具８０の室内側の端部８１は長手方向にスリットを有する断面ほぼＣ字形をなし、ネジ部材７０の頭部と無目２の端面との間に上記スリットにより取付具８０の端部８１を長手方向に差し込んで端部８１を上記端面に係止している。またカバー部材４は内面側の係合部を取付具８０の室外側の先端の係合部に係止固定している。
【０００５】
ところで、従来のカーテンウォールでは、図６において、矢印で示すようにパネル部材３の室外側のガラス板３ａの外面に沿って流下する雨水等がガラス板３ａとカバー部材４との段差に溜まり、ガラス板３ａの下縁が汚れやすく（図６の仮想線Ｒ部）、また上記段差に溜まった雨水がカバー部材４の外面を伝って流下するので、カバー部材４の外面も汚れ、これらの汚れが目立って見栄えを損ねるといった不具合があった。またパネル部材３の室内側のガラス板３ｂの室内面を流下する結露水がガラス板３ｂの下縁沿いに溜まり、これの拭き取りに手間を要す。
【０００６】
従来のカーテンウォールの水抜き構造として下記特許文献１では、金属製の無目に、ガラス板や化粧板等のパネル部材の下端部を嵌入保持する断面Ｕ字形の保持溝を有する別部材からなる横枠を設け、該横枠にはその室外側の壁面に室外側へ突出する庇状の水切りを形成している。上記保持溝には上記室外側の壁面とパネル部材の室外面との間、および室内側の壁面とパネル部材の室内面との間にそれぞれ隙間を設け、パネル部材の室外面を流下する雨水等および室内面を流下する結露水等を上記保持溝で受けるとともに、上記室外側の壁面の水切りの下方位置に設けた排水口より室外側へ排水するようにしている。これによれば上記水切りにより排水口へは外からの風雨が吹き込みにくくなり、排水は室内側へ逆流することなく円滑になされる。しかしながら、上記水切りが大きく室外側へ張り出しているので外観があまり良いとはいえない。
【特許文献１】特開平９−１５１５５８号公報
【発明の開示】
【発明が解決しようとする課題】
【０００７】
そこで本発明は上記事情に鑑み、雨水の排水性能が良好で、雨水等の流下によるパネル部材やカバー部材の汚れを防ぎ、かつ大型の庇状の水切り等を設けることなく結露水の排水が円滑に行われ、外観の見栄えが良好な建造物のカーテンウォール構造を提供することを課題としてなされたものである。
【課題を解決するための手段】
【０００８】
本発明は、上下方向の方立と、水平方向の無目とを交差させて、これら方立および無目で囲まれた部分にガラス板等のパネル部材を組込んでなる建造物のカーテンウォールであって、上記無目の室外側の端面に、該端面に突設した取付具を介して取付けられて上記無目を覆うカバー部材を設置し、該カバー部材と上記端面とで上記パネル部材の外周部を挟持するように構成する。上記カバー部材はこれを偏平な中空状に形成するとともに、その上縁に全長にわたって、上方の上記パネル部材の室外面から流下する雨水等を受ける断面凹状の溝部を形成し、上記雨水等をカバー部材の左右両側の上記溝部の端末より上記方立の側縁に沿って流下せしめるようになす。上記カバー部材と上記無目との間には、上記取付具の上部に沿って、上記パネル部材の室内面に結露流下した結露水を室外側へ流出せしめる流通路を設け、上記カバー部材の室内側の壁面には上記流通路と連通し、結露水を上記カバー部材内へ流入せしめる開口部を形成するとともに、上記カバー部材の下面には上記カバー部材内へ流入した結露水を上記カバー部材外へ排出する排水口を形成する（請求項１）。パネル部材の室外面から流下する雨水等を溝部で受けるので、パネル部材とカバー部材の間に雨水等が溜まることがなくパネル部材の下縁が汚れない。また溝部を介して雨水をカバー部材の左右両側の端末より方立の側縁に沿って流下せしめるのでカバー部材の室外面が汚れない。室内側より流出する結露水を、一旦、中空状のカバー部材内に導入し、カバー部材の下面から排水するようにしたので、外部の風雨に影響されることなく排水は円滑になされる。
【０００９】
上記無目の端面の上縁には、上記パネル部材の室内側の下縁に沿って上記結露水を受ける室内溝部を延設し、該室内溝部には上記結露水の流出口を設ける。上記無目の端面と上記カバー部材との間には、基端を上記室内溝部の下方位置で上記端面に固定して上記取付具の上部に沿って室外側へ張り出す棚状の張出部材を設け、該張出部材に間隔をおいて設けた複数の支持部材により上記パネル部材の下縁を支持せしめる。上記室内溝部の流出口から流出する上記結露水を上記張出部材で受け、上記支持部材間の隙間を通して結露水を室外側へ流出せしめる上記流通路を形成する（請求項２）。結露水の流通路を、無目の端面とカバー部材との間の空間を有効に利用した構造とすることができる。
【００１０】
上記カバー部材の開口部と排水口とを、カバー部材の長手方向の互い違いの位置に形成する（請求項３）。中空状のカバー部材内に導入しその下面から排水する結露水の逆流防止効果をより確実に発揮できる。
【００１１】
上記方立の室外側の端面に、該端面に突設した取付具を介して取付けられて上記方立を覆うカバー部材を設置し、該カバー部材と上記端面とで上記パネル部材の外周部を挟持するように構成する。上記カバー部材はこれを偏平な中空状に形成するとともに、その左右両側縁の全長にわたって断面凹状の側溝部を形成し、これら側溝部と上記無目を覆う上記カバー部材の溝部の端末とを対峙連通せしめて、上記溝部からの雨水等を上記側溝部に流下せしめる（請求項４）。無目側の溝部で受けた雨水等を方立側のカバー部材の側溝部を流下させることにより効率よく排水できる。
【発明の効果】
【００１２】
本発明の建造物のカーテンウォール構造によれば、雨水の排水性能が良好で雨水の流下によりパネル部材やカバー部材が汚れにくく、かつ従来構造のように大型の庇状の水切り等を必要とせず結露水を円滑に排水でき、外観の見栄えが良好なカーテンウォールを提供できる。
【発明を実施するための最良の形態】
【００１３】
本実施形態のカーテンウォールは方立および無目が木材により構成されている。図５に示すように、方立１は複数の方立を上下方向に連結して構成され、無目２は相隣れる左右の方立１間に水平方向に設置されている。このように格子状に組付けた左右の方立１と上下の無目２で囲まれた範囲にはガラス板からなるパネル部材３が嵌め込んである。
【００１４】
図１ないし図３に示すように、無目２の室外側の端面２０には、その上縁の長手方向全長にわたり、上方へ向かって開口する浅い断面ほぼＵ字形のアルミニウム製のレール部材２１が設置してあり、無目２の上面よりも一段低くしたレール部材２１の内部で、パネル部材３の室内面（３ｂ）で結露し流下した結露水を受ける室内溝部２２を構成している。
【００１５】
室内溝部２２には長手方向の複数カ所に、レール部材２１の室外側の壁面を貫通して溝部２２から結露水を室外側へ流出せしめるように流出口２３が形成してある。
【００１６】
無目２の端面２０の上下中間位置には長手方向全長にわたって、端面２０より室外側へ突出し、上方のパネル部材３の下縁を支えるとともに、突出先端で後述のカバー部材４を保持する取付具５が設けてある。取付具５は、端面２０に重合当接するアルミニウム製のベース部材５ａと、カバー部材４を保持する合成樹脂製の本体５ｂとで構成してある。
【００１７】
ベース部材５ａは端面２０に重合当接せしめる板材で、その上縁および下縁にはそれぞれ折り返し部を形成して、これら折り返し部により本体５ｂと係合する係合溝が設けてある。また上記上縁の折り返し端からは室外側へ向かって棚状に張り出す張出部材５１が形成してある。張出部材５１は、その上面に長手方向に沿って所定の間隔をおいて複数の硬質ゴムの支持部材３４を設置し、これら複数の支持部材３４を介してパネル部材３の下縁を支持する。
【００１８】
本体５ｂは、室内外方向の寸法に対して上下寸法を小さくした中空状の一体成形体で、室内側の基板部をベース部材５ａに重合当接せしめ、上記基板部の上縁および下縁をベース部材５ａの上下の係合溝に嵌合して組付けてある。ベース部材５ａの張出部材５１よりも室外側へ突出する本体５ｂの中空体の先端面には、上下に２段、室外側かつ上方突出する断面ほぼＬ字形の係合爪５２が形成してある。
【００１９】
取付具５はベース部材５ａの上縁および下縁の両折り返し部と、これらの係合溝内に嵌合した本体５ｂの基板部の上縁および下縁をそれぞれ一連に貫通するネジ部材により無目２の端面２０に締結して固定してある。また取付具５は、ベース部材５ａの張出部材５１で、室内溝部２２の流出口２３から流出する結露水を受け、パネル部材３の下縁と張出部材５１の間で、複数の支持部材３４の隙間を通し、張出部材５１および本体５ｂの先端上面に沿って上記結露水を室外側へ流出せしめる流通路５０を構成している。
【００２０】
取付具５の室外側の先端には無目２に沿って水平方向に延びる金属製のカバー部材４を取付け、無目２とカバー部材４との間でパネル部材３を挟持する。図１ないし図３に示すように、カバー部材４はアルミニウム製の一体成形品で、無目２とほぼ同一の上下寸法を有し、上下寸法に対して室内外方向の寸法を小さくした偏平な中空構造の長尺体で構成してある。
【００２１】
カバー部材４の上縁には、室外側に面する外壁４１の上縁および室内側の内壁４２の上縁と、これらに対して一段低い位置に設けた上面壁４３とで上方へ向かって開口する溝部４４が構成してある。またカバー部材４の下部は、両壁４１，４２の下縁が下面壁４５よりも方へ延出してあり、下面壁４５が両壁４１，４２の下縁で挟まれた奥まった位置に設けてある。カバー部材４の中空部の左右両端は側壁４６で塞いである。
【００２２】
カバー部材４には、取付具５の上下の係合爪５２に対応して、内壁４２の上下中間位置に室内側かつ下方へ向かって断面逆Ｌ字形の係合爪４７が上下に２段形成してある。カバー部材４は、上下の係合爪４７をそれぞれ、取付具５の各係合爪５２と長手方向摺動可能に嵌合係止し、カバー部材４の内壁４２の上縁と無目２の端面２０の上縁のレール部材２１とで、上方のパネル部材３の下縁を挟持するとともに、内壁４２の下縁と端面２０の下縁とで下方のパネル部材３の上縁を挟持せしめる。
【００２３】
パネル部材３は、室外側のガラス板３ａと室内側のガラス板３ｂとからなる二重構造であり、パネル部材３を取付けるに際しては、室外側のガラス板３ａの外面および室内側のガラス板３ｂの内面の外周にそれぞれバックアップ材、例えば合成樹脂発泡体のバックアップ材３２を接合し、バックアップ材３２を介してカバー部材４と無目２間に挟持してある。更に、バックアップ材３２の内周側には、カバー部材４とガラス板３ａの間および無目２とガラス板３ｂとの間にシリコン系などのシール材３３が充填してある。
【００２４】
尚、ガラス板３ｂと無目２との間のバックアップ材３２は、レール部材２１の上記流出口２３に対応する位置ではバックアップ材３２が切欠いてあり、室内溝部２２の結露水を流出口２３を通して取付具５上部の流通路５０へ流出させる。そして、流通路５０に対応して、カバー部材４の内壁４２の上下中間位置には長手方向の左右両端寄りの位置に、係合爪４７，５２を切欠くとともに、内壁４２を貫通して流通路５０の結露水をカバー部材４の中空断面内へ流入せしめる開口部４８が形成してある。開口部４８は内壁４２の長手方向に長径状をなす。更に、カバー部材４の下面壁４５には、開口部４８に対して位置をずらし、開口部４８よりも更にカバー部材４の左右両端の近傍位置に、カバー部材４内へ流入した結露水を下方へ排出する排水口４９が形成してある。排水口４９は下面壁４５の長手方向に長径をなす。
【００２５】
図４に示すように、方立１は無目２側と同様の基本構造をなし、図４により相違点を中心に説明し、図において無目２側と同一部材は同一符号で示す。方立１はその縦方向に延びる端面１０に取付具５を介して端面１０を覆うように縦方向に延びるカバー部材４Ａを取付け、カバー部材４Ａと方立１の端面１０とでパネル部材３の外周部を挟持する構造である。カバー部材４Ａは無目２のカバー部材４と同様に中空状の一体成形品で、縦方向に延びる左右両側縁には、無目２のカバー部材４の上記溝部４４に対応し、横方向へ向かって開口する凹状の側溝部４０が形成してあり、無目２のカバー部材４の溝部４４端末と対峙連通せしめてある。
【００２６】
本実施形態によれば、無目２のカバー部材４を扁平の中空構造としたので、その上縁に構造簡素に凹状の溝部４４を形成することができる。カバー部材４の上縁に溝部４４を設けることにより、パネル部材３のガラス板３ａを伝って流下する雨水等（図１の矢印Ｙ）を溝部４４で受けるので、従来構造のようにガラス板３ａの下縁とカバー部材４の上縁との段差に雨水等が溜まらずガラス板３ａが汚れにくい。また受けた雨水等は溝部４４に沿ってカバー部材４の左右両端に流れるので、カバー部材４４の室外面も汚れない。更に溝部４４の左右両端からこれと対峙連通する方立１のカバー部材４Ａの側溝部の４０へ流下せしめるので、効率よく排水でき、方立１のカバー部材４Ａの室外面も汚れない。
【００２７】
また無目２には、パネル部材３のガラス板３ｂの室内面を結露流下する結露水（図１の矢印Ｚ）をレール部材２１の室内溝部２２で受け、レール部材２１の流出口２３より流通路５０へ流出せしめ、更にカバー部材４の開口部４８よりカバー部材４内へ流入せしめ、カバー部材４の下面の排水口４９より排水するので、従来のように結露水を拭き取る手間がかからない。
【００２８】
結露水を排水する際、一旦、結露水を中空状のカバー部材４の内部へ導入してカバー部材の下面より排水するようにしたので、カバー部材４の内部へは室外の風雨が吹き込みにくく、室外の風雨に影響されることなく結露水を円滑に排水できる。更に、カバー部材４の室内側の開口部４８と下面の排水口４９とをカバー部材４の長手方向に互い違いの位置に設けたので、例え室外側から風が排水口４９よりカバー部材４の内部へ進入しても、結露水が開口部４８から流通路５０側へ吹き戻されにくく、結露水の逆流をより確実に防止することができる。
【００２９】
本実施形態では、木材の方立１および無目２に金属製のカバー部材４Ａ，４を取付けるのに合成樹脂の本体５ｂを有する取付具５を用いたので、方立１および無目２とカバー部材４Ａ，４との間で本体５ｂが断熱材となり、かつカバー部材４Ａ，４を本体５ｂに対して長手方向摺動可能に係合したので、方立１および無目２とカバー部材４Ａ，４との間で熱伸縮差が生じても、上記摺動により熱伸縮差が吸収され、方立１および無目２の耐久性を向上する。
【００３０】
尚、上述の実施形態はすべての点で例示であって本発明の範囲を限定するものではなく、本発明は上述の実施形態を様々に変形、変更したものも含まれる。例えば、上述の実施形態では、カバー部材４，４Ａを金属製としたが、これらを合成樹脂で成形してもよい。またカバー部材４の排水口４９を下面壁４５に形成したが、これに限らず、排水口４９をカバー部材４の側壁４６下端に設けてもよい。
【図面の簡単な説明】
【００３１】
【図１】本発明のカーテンウォールを示す図５のＩ−Ｉ線に沿う位置での縦断面図である。
【図２】本発明を適用したカバー部材の縦断面図である。
【図３】上記カバー部材の開口部と排水口との位置関係を示す概略正面図である。
【図４】図５のIV−IV線に沿う位置での上記カーテンウォールの横断面図である。
【図５】本発明を適用するカーテンウォールの正面図である。
【図６】図１に対応する従来のカーテンウォールの縦断面図である。
【符号の説明】
【００３２】
１  方立
１０  端面
２  無目
２０  端面
２２  室内溝部
２３  流出口
３  パネル部材
３ａ，３ｂ  ガラス板
３４  支持部材
４  無目のカバー部材
４Ａ  方立のカバー部材
４０  側溝部
４４  溝部
４８  開口部
４９  排水口
５  取付具
５０  流通路
５１  張出部材
【図１】
2008115662.tif 000003
【図２】
2008115662.tif 000004
【図３】
2008115662.tif 000005
【図４】
2008115662.tif 000006
【図５】
2008115662.tif 000007
【図６】
2008115662.tif 000008